(57)【要約】【課題】樹脂製脚部材に設ける枢止軸の強度を向上させることができ、かつ、脚部材を起したときに枢止軸に加わる負荷を少なくすることで、枢止軸の折損発生がない耐久性に優れたスタンド構造を提供する。【解決手段】スタンド部材１２の背面に固定する取付け部材１３と、この取付け部材１３に上端側を枢着し、スタンド部材１２の背面に重なる状態から起すことにより、スタンド部材１２を所定角度に支持する脚部材１４とからなり、この脚部材１４の上端側に形成した凹欠部２１の両側対向面に枢止軸２２を同軸心状の配置で設け、この枢止軸２２と凹欠部２１の内端を補強板２３によって連結し、前記取付け部材１３に設けた支持孔１８に、枢止軸２２を下面の開口部分から圧入して回転可能に取付ける。【選択図】図２
2006280799.tif 000002
【特許請求の範囲】
【請求項１】
スタンド部材の背面に固定する取付け部材と、この取付け部材に上端側を枢着し、スタンド部材の背面に重なる状態から起すことにより、スタンド部材を所定角度に支持する脚部材とからなり、前記脚部材の上端側に形成した凹欠部の両側対向面に枢止軸を同軸心状の配置で設け、この枢止軸と凹欠部の内端を補強板によって連結し、前記取付け部材に、下面の開口部分から圧入した枢止軸を回転可能に支持する支持孔を設けたスタンド構造。
【請求項２】
上記取付け部材が、ベース板の上部前面側に前面側に突出する支持孔形成部を設け、この支持孔形成部に下面側で開口する支持孔を設けて形成され、前記ベース板の上端部で支持孔形成部の両側に位置する部分に、支持孔に対して後方上部に位置し、起した脚部材の上端部が当接することによって角度を規制する角度規制面を設け、前記支持孔形成部の支持孔よりも前側の下端部が、起した脚部材の補強板が当接することによって角度を規制する角度規制縁になっている請求項１に記載のスタンド構造。
【発明の詳細な説明】
【技術分野】
【０００１】
この発明は、写真立てや額、鏡、楯等を背面側から所定の角度で起立状に支持するスタンド構造に関する。
【背景技術】
【０００２】
例えば、写真立てや鏡、楯等のスタンド部材を所定の角度で起立状に支持するため、スタンド部材の背面側に、脚部材をスタンド部材の背面に重なる状態から起すようにしたスタンド構造を設けるようにしている。
【０００３】
図６は、従来の合成樹脂製スタンド構造１を示し、スタンド部材２の背面に固定する取付け部材３と、この取付け部材３に上端側を枢着し、スタンド部材２の背面に重なる状態から起すことにより、スタンド部材２を所定角度に支持する脚部材４とからなり、取付け部材３は取付け板５の両端に対向壁６を設けた平面コ字状に形成され、対向壁６に下面側で開口する支持孔７が設けられている。
【０００４】
また、上記脚部材４は上下に長く、上端部の両側面に枢止軸８を同軸心状の配置で突設して形成され、スタンド部材２の背面に固定した取付け部材３の対向壁６間に、脚部材４の上端部を臨ませ、枢止軸８を支持孔７に下面開口から樹脂の弾性を利用して押し込むことにより、取付け部材３に対して脚部材４を取付ける。
【０００５】
脚部材４は、支持孔７で支持された枢止軸８を中心に回動可能となり、スタンド部材２を立てないときは、スタンド部材２の背面に重ねておき、また、スタンド部材２を立てるときは、図６（ｂ）のように脚部材４を起せばよく、脚部材４上端の傾斜当接面９が取付け板５に当接することによって起した角度が規制される。
【発明の開示】
【発明が解決しようとする課題】
【０００６】
ところで、上記従来の合成樹脂製スタンド構造１における脚部材４は、両側面に枢止軸８を同軸心状の配置で突設しているので、合成樹脂で脚部材４の側面に一体成形した枢止軸８は構造的に強度が弱く、脚部材４に過度な力を加えると枢止軸８が折損するという問題がある。
【０００７】
また、脚部材４を起したとき、脚部材４上端の傾斜当接面９が取付け板５に当接する構造では、傾斜当接面９の上端の取付け板５に対する当接位置が枢止軸８から離れ、脚部材４を開いたときに梃子の作用によって枢止軸８に大きな力が加わり、枢止軸８が折損しやすいという問題がある。
【０００８】
そこで、この発明の課題は、樹脂製脚部材に設ける枢止軸の強度を向上させることができ、かつ、脚部材を起したときに枢止軸に加わる負荷を少なくすることで、枢止軸の折損発生がない耐久性に優れたスタンド構造を提供することにある。
【課題を解決するための手段】
【０００９】
上記のような課題を解決するため、この発明は、スタンド部材の背面に固定する取付け部材と、この取付け部材に上端側を枢着し、スタンド部材の背面に重なる状態から起すことにより、スタンド部材を所定角度に支持する脚部材とからなり、前記脚部材の上端側に形成した凹欠部の両側対向面に枢止軸を同軸心状の配置で設け、この枢止軸と凹欠部の内端を補強板によって連結し、前記取付け部材に、下面の開口部分から圧入した枢止軸を回転可能に支持する支持孔を設けた構成を採用したものである。
【００１０】
また、上記取付け部材が、ベース板の上部前面側に前面側へ突出する支持孔形成部を設け、この支持孔形成部に下面側で開口する支持孔を設けて形成され、前記ベース板の上端部で支持孔形成部の両側に位置する部分に、支持孔に対して後方上部に位置し、起した脚部材の上端部が当接することによって角度を規制する角度規制面を設け、前記支持孔形成部の支持孔よりも前側の下端部が、起した脚部材の補強板が当接することによって角度を規制する角度規制縁になっている構造とすることができる。
【００１１】
ここで、上記取付け部材と脚部材は、硬質の合成樹脂を用いて形成され、取付け部材の支持孔形成部に設けた支持孔は、途中が仕切り壁で分断され、脚部材の枢止軸を支持孔に嵌めこんだとき、仕切り壁が両枢止軸間と両補強板間に収まることになる。
【００１２】
また、脚部材はベース板の横幅に外嵌する断面コ字状となり、この脚部材に設けた凹欠部は、取付け部材に設けた支持孔形成部に丁度外嵌する幅になっている。
【発明の効果】
【００１３】
この発明によると、脚部材の上端側に形成した凹欠部の両側対向面に枢止軸を同軸心状の配置で設け、この枢止軸と凹欠部の内端を補強板によって連結したので、樹脂製脚部材における枢止軸の強度が向上し、枢止軸の折損発生を防ぐことができる。
【００１４】
また、起した脚部材を、ベース板の角度規制面と支持孔形成部の支持孔よりも前側の下端部の角度規制縁で受けるようにしたので、脚部材を起したとき、枢止軸を挟んだ位置で脚部材の上下相反する面を受けることで、脚部材を起したときに枢止軸に加わる負荷を少なくすることができ、枢止軸の折損発生がない耐久性に優れたものとなる。
【発明を実施するための最良の形態】
【００１５】
以下、この発明の実施の形態を添付図面に基づいて説明する。
【００１６】
図示のように、スタンド構造１１は、スタンド部材１２の背面に固定する取付け部材１３と、この取付け部材１３に上端側を枢着し、スタンド部材１２の背面に重なる状態から起すことにより、スタンド部材１２を所定角度に支持する脚部材１４とからなり、取付け部材１３と脚部材１４は、ＡＢＳ等の硬質の合成樹脂を用いて形成されている。
【００１７】
上記取付け部材１３は、矩形状となるベース板１５に、この取付け部材１３をスタンド部材１２に固定する止め具の打ち込み孔１６を設け、ベース板１５の上部前面側に前面側へ突出する支持孔形成部１７を設け、この支持孔形成部１７に下面側で開口する支持孔１８を設けて形成され、支持孔形成部１７は、図１乃至図４のように、ベース板１５よりも少し幅の狭い角形ブロック１７ａの上部に略半円形の突部１９を連成し、この突部１９に紐等による吊り下げ用の孔２０を設け、前記角形ブロック１７ａの部分に下面側で開口する支持孔１８が設けられている。
【００１８】
上記脚部材１４は、ベース板１５の横幅に外嵌する浅い断面コ字状となり、上端部に支持孔形成部１７へ丁度外嵌する幅の矩形状凹欠部２１が設けられ、この凹欠部２１の両側対向面に間隔を置いて一対の枢止軸２２を同軸心状の配置で設け、この各枢止軸２２と凹欠部２１の内端を、枢止軸２２の直径よりも薄い厚みの補強板２３によって連結し、脚部材１４と一体成形の枢止軸２２に強度を持たせている。
【００１９】
上記取付け部材１３の角形ブロック１７ａに設けた支持孔１８は、枢止軸２２が嵌る円形孔の半径よりも少し下方の位置で下部が開口し、この開口は前側が拡開する傾斜面となり、下面の開口部分から枢止軸２２を圧入することができると共に、支持孔１８に嵌り込んだ枢止軸２２を回転可能で抜け止め状に保持することができるようになっている。
【００２０】
この支持孔１８は、途中が仕切り壁２４で分断され、脚部材１４の枢止軸２３を支持孔１８に嵌めこんだとき、仕切り壁２４が両枢止軸２２間と両補強板２３間に収まることになる。
【００２１】
上記取付け部材１３におけるベース板１５の上端部で支持孔形成部１７の両側に位置する部分に、支持孔１８に対して後方上部に位置し、起した脚部材１４の上端部が当接することによって角度を規制する角度規制面２５を設け、また、角形ブロック１７ａの支持孔１８よりも前側の下端部が、起した脚部材１４の補強板２３が当接することによって角度を規制する角度規制縁２６になっている。
【００２２】
また、脚部材１４の上端部で背面の両側は、脚部材１４の角度が規制された状態でスタンド部材１２の背面に当接する傾斜面２７になっている。
【００２３】
なお、スタンド部材１２としては、写真立てや鏡、楯等を挙げることができ、図５（ａ）乃至（ｄ）は、脚部材１４の長さが異なるものを例示しており、スタンド部材１２の上下寸法に対応したものを選択して使用すればよい。
【００２４】
この発明のスタンド構造１１は上記のような構成であり、スタンド部材１２の背面側で上部の位置に取付け部材１３のベース板１５を重ね、打ち込み孔１６から止め具をスタンド部材１２に打ち込むことにより、取付け部材１３をスタンド部材１２に固定する。
【００２５】
次に、取付け部材１３に設けた支持孔１８の下端開口部に脚部材１４の上端に設けた枢止軸２２を臨ませ、枢止軸２２を支持孔１８内に下端開口部から押し込むようにすれば、支持孔１８内に枢止軸２２が回転可能で抜け止め状に嵌合し、スタンド構造１１の組み立てが行える。
【００２６】
上記脚部材１４は、上端の矩形状凹欠部２１が支持孔形成部１７へ外嵌し、支持孔１８の仕切り壁２４が両枢止軸２２間と両補強板２３間に収まることになる。
【００２７】
また、スタンド部材１２を立てないときは、図１（ｂ）のように脚部材１４をスタンド部材１２の背面に重ねておき、また、スタンド部材１２を立てるときは、図１（ｃ）のように脚部材１４を起せばよく、脚部材１４を起したとき、角度規制面２５と角度規制縁２６によって枢止軸２２を挟んだ位置で脚部材１４の上下相反する面を受けることで、脚部材１４を起したときに枢止軸２２に加わる負荷を少なくすることができ、これにより枢止軸２２の折損発生がない耐久性に優れたものとなる。
【図面の簡単な説明】
【００２８】
【図１】（ａ）はこの発明に係るスタンド構造をスタンド部材の背面に取付けた正面図、（ｂ）は脚部材をスタンド部材の背面に倒した状態の側面図、（ｃ）は脚部材を起してスタンド部材を立てた状態を示す側面図
【図２】スタンド構造を構成する取付け部材と脚部材の分解斜視図
【図３】（ａ）はスタンド構造を構成する取付け部材と脚部材の分解した正面図、（ｂ）は同側面図
【図４】（ａ）はスタンド構造の組み立て状態を示す縦断側面図、（ｂ）は同じく脚部材を起した状態の縦断面図、（ｃ）は取付け部材の下から見た斜視図
【図５】（ａ）乃至（ｄ）はスタンド構造の脚部材の長さが異なる例を示す正面図
【図６】（ａ）は従来のスタンド構造をスタンド部材の背面に取付けた正面図、（ｂ）は脚部材を起してスタンド部材を立てた状態を示す側面図（ｃ）はスタンド構造の分解した斜視図
【符号の説明】
【００２９】
１１        スタンド構造
１２        スタンド部材
１３        取付け部材
１４        脚部材
１５        ベース板
１６        打ち込み孔
１７        支持孔形成部
１８        支持孔
１９        突部
２０        吊り下げ用の孔
２１        凹欠部
２２        枢止軸
２３        補強板
２４        仕切り壁
２５        角度規制面
２６        角度規制縁
２７        傾斜面
【図１】
2006280799.tif 000003
【図２】
2006280799.tif 000004
【図３】
2006280799.tif 000005
【図４】
2006280799.tif 000006
【図５】
2006280799.tif 000007
【図６】
2006280799.tif 000008